(57)【要約】      （修正有）【課題】スムーズにオムツ交換を行うことができると共にベビー服の股部に隙間ができるのを防止できる折り返しカバー付きベビー服を提供する。【解決手段】折り返しカバー付きベビー服１０の服本体１２は前身頃２６と後身頃２８から形成されている。服本体１２の他側部１２Ｂにはスナップボタン３０が複数設けられている。また、服本体１２の下縁部１２Ｃで第１脚部２０の内側部分２０Ａと第２脚部２２の内側部分２２Ａにもスナップボタン３０が複数設けられている。服本体１２の下部には股部１２Ｄを覆って後身頃２８側に折り返すことができる折り返しカバー３２が設けられている。折り返しカバー３２の基端部３２Ａは前身頃２６の下部に縫着されている。折り返しカバー３２には第１面ファスナー３４が取り付けられ、後身頃２８には第２面ファスナーが取り付けられている。【選択図】図１
0003191010.tif 000002
【実用新案登録請求の範囲】
【請求項１】
第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記前身頃に取り付けられると共に折り返すことにより前記服本体の股部を覆うことができる折り返しカバーと、この折り返しカバーの先端部に設けられた第１面ファスナーと、前記後身頃に設けられると共に前記第１面ファスナーと係止可能な第２面ファスナーと、を有してなることを特徴とする折り返しカバー付きベビー服。
【請求項２】
第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記前身頃に取り付けられると共に折り返すことにより前記服本体の股部を覆うことができる折り返しカバーと、この折り返しカバーの先端部に設けられた第１面ファスナーと、前記後身頃に設けられると共に前記第１面ファスナーと係止可能で第１面ファスナーより面積が大きく形成された第２面ファスナーと、を有してなることを特徴とする折り返しカバー付きベビー服。
【請求項３】
第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記前身頃に取り付けられると共に折り返すことにより前記服本体の股部を覆うことができる折り返しカバーと、この折り返しカバーの先端部に設けられた第１面ファスナーと、前記後身頃に設けられると共に前記第１面ファスナーと係止可能で第１面ファスナーより面積が大きく形成された第２面ファスナーと、前記折り返しカバーに形成されると共に折り返しカバーの先端面と第１面ファスナーとの間に形成されたカバー摘み部と、を有してなることを特徴とする折り返しカバー付きベビー服。
【請求項４】
第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記後身頃に取り付けられると共に折り返すことにより前記服本体の股部を覆うことができる折り返しカバーと、この折り返しカバーの先端部に設けられた第１面ファスナーと、前記前身頃に設けられると共に前記第１面ファスナーと係止可能な第２面ファスナーと、を有してなることを特徴とする折り返しカバー付きベビー服。
【請求項５】
第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記後身頃に取り付けられると共に折り返すことにより前記服本体の股部を覆うことができる折り返しカバーと、この折り返しカバーの先端部に設けられた第１面ファスナーと、前記前身頃に設けられると共に前記第１面ファスナーと係止可能で第１面ファスナーより面積が大きく形成された第２面ファスナーと、を有してなることを特徴とする折り返しカバー付きベビー服。
【請求項６】
第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記後身頃に取り付けられると共に折り返すことにより前記服本体の股部を覆うことができる折り返しカバーと、この折り返しカバーの先端部に設けられた第１面ファスナーと、前記前身頃に設けられると共に前記第１面ファスナーと係止可能で第１面ファスナーより面積が大きく形成された第２面ファスナーと、前記折り返しカバーに形成されると共に折り返しカバーの先端面と第１面ファスナーとの間に形成されたカバー摘み部と、を有してなることを特徴とする折り返しカバー付きベビー服。
【考案の詳細な説明】
【技術分野】
【０００１】
本考案は、主に乳幼児等が着用するベビー服に関し、詳しくはオムツの交換をスムーズに行うことができる折り返しカバー付きベビー服に関する。
【背景技術】
【０００２】
乳幼児等が着用するベビー服としては、つなぎタイプのベビー服が広く知られると共に広く用いられている。
このタイプのベビー服には前身頃一側部と脚部にファスナーや紐等が設けられた構成のものがある。
このベビー服は、オムツ交換時にファスナースライダーをスライドさせたり、あるいは紐を解いてベビー服の前身頃と後身頃を開くため、寒い季節は乳幼児の身体が冷えてしまい風邪等の要因になると共にベビー服の前身頃と後身頃が大きく開くため乳幼児の身体が丸見えなってしまうという不具合がある。
また、乳幼児は寝返等を頻繁に行って動き回りじっとしていない場合が多いので、ファスナーの場合はファスナースライダーをスライドさせた時にファスナースライダーで乳幼児の肌を挟んでしまう虞があり、紐の場合は紐を解いたり結んだりするのが煩雑であると共に紐を落ち着いて解いたり結んだりするのが困難である。
また、ベビー服の前身頃中央部と股部、脚部内側に多数のスナップボタンを設けて前身頃と後身頃を開閉するベビー服や前身頃一側部と股部、脚部内側、脚部外側に多数のスナップボタンを設けて前身頃と後身頃を開閉するタイプのベビー服もある（特許文献１）。
このベビー服は股部から脚部に沿っての多数のスナップボタンが設けられているため、股部から脚部にかけてのスナップボタンを外したり嵌めたりするだけでオムツ交換することができる。
しかし、オムツ交換時には股部と脚部に設けられている多数のスナップボタンを外してオムツを取り、新しいオムツに交換して再び多数のスナップボタンを嵌める必要があるため煩雑である。
しかも、乳幼児が寝返等をして動き回ってじっとしていない場合は、スナップボタンを外したり嵌めたりする作業が行い難く、手間と時間がかかる。
また、前記スナップボタンは間隔をおいて設けられているのでスナップボタン間に隙間ができ易く寒い季節には冷気が隙間から入り込んで乳幼児の身体を冷やすと共に前記隙間から尿等が漏れてしまう虞がある。
さらに、乳幼児のオムツ交換は１日に何回も行う必要があるため、オムツ交換作業は保護者にとって極めて煩雑であると共に手間と時間がかかる作業である。
【先行技術文献】
【特許文献】
【０００３】
【特許文献１】実開昭６４−３３５１７号
【考案の概要】
【考案が解決しようとする課題】
【０００４】
。
本考案は、上記事実に鑑みなされたものであり、オムツ交換時に外したり嵌めたりする連結具の数を少なくすることによりスムーズにオムツ交換を行うことができると共にベビー服の股部に隙間ができるのを防止できる折り返しカバー付きベビー服を提供するものである。
【課題を解決するための手段】
【０００５】
請求項１の考案は、第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記前身頃に取り付けられると共に折り返すことにより前記服本体の股部を覆うことができる折り返しカバーと、この折り返しカバーの先端部に設けられた第１面ファスナーと、前記後身頃に設けられると共に前記第１面ファスナーと係止可能な第２面ファスナーと、を有してなることを特徴としている。
請求項２の考案は、第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記前身頃に取り付けられると共に折り返すことにより前記服本体の股部を覆うことができる折り返しカバーと、この折り返しカバーの先端部に設けられた第１面ファスナーと、前記後身頃に設けられると共に前記第１面ファスナーと係止可能で第１面ファスナーより面積が大きく形成された第２面ファスナーと、を有してなることを特徴としている。
請求項３の考案は、第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記前身頃に取り付けられると共に折り返すことにより前記服本体の股部を覆うことができる折り返しカバーと、この折り返しカバーの先端部に設けられた第１面ファスナーと、前記後身頃に設けられると共に前記第１面ファスナーと係止可能で第１面ファスナーより面積が大きく形成された第２面ファスナーと、前記折り返しカバーに形成されると共に折り返しカバーの先端面と第１面ファスナーとの間に形成されたカバー摘み部と、を有してなることを特徴としている。
請求項４の考案は、第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記後身頃に取り付けられると共に折り返すことにより前記服本体の股部を覆うことができる折り返しカバーと、この折り返しカバーの先端部に設けられた第１面ファスナーと、前記前身頃に設けられると共に前記第１面ファスナーと係止可能な第２面ファスナーと、を有してなることを特徴としている。
請求項５の考案は、第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記後身頃に取り付けられると共に折り返すことにより前記服本体の股部を覆うことができる折り返しカバーと、この折り返しカバーの先端部に設けられた第１面ファスナーと、前記前身頃に設けられると共に前記第１面ファスナーと係止可能で第１面ファスナーより面積が大きく形成された第２面ファスナーと、を有してなることを特徴としている。
請求項６の考案は、第１脚部と第２脚部が形成された服本体を有するベビー服において、前記服本体を構成する前身頃と、この前身頃と共に前記服本体を構成する後身頃と、前記前身頃の前身頃下縁部であって前記第１脚部と前記第２脚部の内側部分に設けられた第１連結具と、前記後身頃の後身頃下縁部であって前記第１脚部と前記第２脚部の内側部分に設けられると共に前記第１連結具と連結可能な第２連結具と、基端部が前記後身頃に取り付けられると共に折り返すことにより前記服本体の股部を覆うことができる折り返しカバーと、この折り返しカバーの先端部に設けられた第１面ファスナーと、前記前身頃に設けられると共に前記第１面ファスナーと係止可能で第１面ファスナーより面積が大きく形成された第２面ファスナーと、前記折り返しカバーに形成されると共に折り返しカバーの先端面と第１面ファスナーとの間に形成されたカバー摘み部と、を有してなることを特徴としている。
【考案の効果】
【０００６】
本考案は、服本体の股部に折り返しカバーを設けることにより従来のベビー服に比べて連結具を少なくしたので、オムツ交換時に外したり嵌めたりする手間や時間を少なくでき従来のベビー服に比べて簡単かつ迅速にオムツ交換を行うことができるという優れた効果を有する。
本考案は、服本体の股部に折り返しカバーを設けることにより隙間ができ難いようにしたので隙間から外気が入り込むのを可及的に防止できると共に尿等が漏れるのを可及的に防止できるという優れた効果を有する。
請求項３、請求項６の考案は、上記優れた効果の他に折り返しカバーの先端にカバー摘み部を設けたので、簡単に折り返しカバーを引っ張ることができるという優れた効果を有する。
【図面の簡単な説明】
【０００７】
【図１】第１実施例の折り返しカバー付きベビー服の正面図である。
【図２】第１実施例の折り返しカバー付きベビー服の背面図である。
【図３】第１実施例の折り返しカバー付きベビー服の折り返しカバーを下げた状態の正面図である。
【図４】第１実施例の折り返しカバー付きベビー服の折り返しカバーを下げた状態の背面図である。
【図５】第１実施例の折り返しカバー付きベビー服の前身頃と後身頃を開けた状態の正面図である。
【図６】第１実施例の折り返しカバー付きベビー服の変形例を示す折り返しカバー付きベビー服の背面図である。
【図７】第２実施例の折り返しカバー付きベビー服の正面図である。
【図８】第２実施例の折り返しカバー付きベビー服の背面図である。
【図９】第３実施例の折り返しカバー付きベビー服の折り返しカバーを下げた状態の正面図である。
【考案を実施するための形態】
【０００８】
考案を実施するために最良の形態の例として以下のような実施例を示す。
【実施例１】
【０００９】
図１〜図６には本考案に係る折り返しカバー付きベビー服の第１実施例が示されている。
図１及び図２に示されるように、第１実施例の折り返しカバー付きベビー服１０は服本体１２と、この服本体１２の上部両側に取り付けられた第１袖１４及び第２袖１６と、を備えている。これら服本体１２と第１袖１４及び第２袖１６はベビー服に最適な適宜材料から選択された布地で形成されている。
【００１０】
前記服本体１２の下部には第１脚部２０と第２脚部２２が一体形成されている。また、前記服本体１２の上端中央部には首挿通開口部２４が形成されている。
前記服本体１２は正面側に位置する前身頃２６と背面側に位置する後身頃２８から形成されている。
【００１１】
図５に示されるように、前記服本体１２の一側部１２Ａにおいて前身頃２６の前身頃一側縁部２６Ａと後身頃２８の後身頃一側縁部２８Ａは縫着されている。これに対し、前記服本体１２の他側部１２Ｂにおいて前身頃２６の前身頃他側縁部２６Ｂと後身頃２８の後身頃他側縁部２８Ｂは縫着されていない。
【００１２】
また、前記服本体１２の略逆Ｕ字状に形成された下縁部１２Ｃも前身頃２６の前身頃下縁部２６Ｃと後身頃２８の後身頃下縁部２８Ｃは縫着されていない。
【００１３】
図１に示されるように、前記服本体１２の他側部１２Ｂには連結具としてのスナップボタン３０が間隔を置いて複数（この実施例では１１個）設けられている。
また、前記服本体１２の下縁部１２Ｃであって前記第１脚部２０の内側部分２０Ａと前記第２脚部２２の内側部分２２Ａにはスナップボタン３０が間隔を置いて複数（この実施例では４個）設けられている。
【００１４】
図５に示されるように、前身頃２６の前身頃他側縁部２６Ｂには前記スナップボタン３０を構成する第１連結具としてのメススナップボタン３０Ａが間隔を設けて１１個取り付けられ、後身頃２８の後身頃他側縁部２８Ｂにはメススナップボタン３０Ａと共に前記スナップボタン３０を構成する第２連結具としてのオススナップボタン３０Ｂが間隔を設けて１１個取り付けられている。
従って、前記メススナップボタン３０Ａとオススナップボタン３０Ｂを嵌めると前身頃他側縁部２６Ｂと後身頃他側縁部２８Ｂを連結することができ（図１参照）、メススナップボタン３０Ａとオススナップボタン３０Ｂを外すと前身頃他側縁部２６Ｂと後身頃他側縁部２８Ｂを連結解除することができるようになっている（図５参照）。
【００１５】
また、前身頃２６の前身頃下縁部２６Ｃであって第１脚部２０の内側部分２０Ａと第２脚部２２の内側部分２２Ａには前身頃下縁股部２６Ｄの部分を除いて前記メススナップボタン３０Ａが間隔を設けて４個取り付けられ、後身頃２８の後身頃下縁部２８Ｃであって第１脚部２０の内側部分２０Ａと第２脚部２２の内側部分２２Ａには後身頃下縁股部２８Ｄの部分を除いて前記オススナップボタン３０Ｂが間隔を設けて４個取り付けられている。
従って、前記メススナップボタン３０Ａとオススナップボタン３０Ｂを嵌めると前身頃下縁部２６Ｃと後身頃他側縁部２８Ｃを連結することができ（図１参照）、メススナップボタン３０Ａとオススナップボタン３０Ｂを外すと前身頃下縁部２６Ｃと後身頃下縁部２８Ｃを連結解除することができるようになっている（図５参照）。
【００１６】
図１及び図２に示されるように、前記服本体１２の下部には股部１２Ｄを覆って前記後身頃２８側に折り返すことができる折り返しカバー３２が設けられている。図３及び図４に示されるように、この折り返しカバー３２は略楕円状に形成されている。また、この折り返しカバー３２は尿等の液体を通過させない素材でできた布で形成されている。
【００１７】
図３に示されるように、前記折り返しカバー３２の基端部３２Ａは前記前身頃２６の下部に縫着され、これにより折り返しカバー３２は前身頃２６に取り付けられている。
図４に示されるように、前記折り返しカバー３２の先端部３２Ｂの内側面にはマジックテープ（登録商標）からなる第１面ファスナー３４が取り付けられている。この第１面ファスナー３４は円弧状に形成されている。
また、前記後身頃２８の中間部には前記第１面ファスナー３４と係止可能なマジックテープ（登録商標）からなる第２面ファスナー３６が取り付けられている。この第２面ファスナー３６は楕円状に形成されている。
【００１８】
この実施例では第１面ファスナー３４は第２面ファスナー３６よりも面積が小さく形成されている。このため、第１面ファスナー３４の第２面ファスナー３６に対する係止位置を自由に変えられる。これにより前記折り返しカバー３２を締め付けた状態で後身頃２８に取り付けたり緩くした状態で後身頃２８に取り付けたりすることができ、折り返しカバー３２の締め付け強さを自由に調節することができる。
【００１９】
なお、前記第１面ファスナー３４、第２面ファスナー３６は扁平であると共に金属等のように固い材質で形成されていないので、折り返しカバー付きベビー服１０を着用した乳幼児が仰向けに寝ても第１面ファスナー３４、第２面ファスナー３６が乳幼児の背中を強く押すことを避けることができる。
【００２０】
前記折り返しカバー３２の先端面３２Ｃと第１面ファスナー３４の間はカバー摘み部３８とされている。このカバー摘み部３８には第１面ファスナー３４は形成されていないので、カバー摘み部３８は第２面ファスナー３６と係止せずフリーの状態になっているので指でカバー摘み部３８を簡単に摘むことができるようになっている。
【００２１】
以下に第１実施例の折り返しカバー付きベビー服１０の作用について説明する。
実施例の折り返しカバー付きベビー服１０を着用している乳幼児（図示せず）のオムツを交換する場合は、前記前身頃下縁部２６Ｃのメススナップボタン３０Ａと後身頃下縁部２６Ｃのオススナップボタン３０Ｂを外して、前身頃下縁部２６Ｃと後身頃下縁部２８Ｃの連結を解除する。
【００２２】
次に、折り返しカバー３２のカバー摘み部３８を指で摘んで引っ張ることにより第１面ファスナー３４と第２面ファスナー３６の係止を解除し、折り返しカバー３２の先端部３２Ｂを後身頃２８から取り外し前身頃２６側に捲くり、折り返しカバー３２によって覆われていた服本体１２の股部１２Ｄを露出させる。
【００２３】
なお、前記折り返しカバー３２の基端部３２Ａは前身頃２６の下部に縫着されているので、折り返しカバー３２を設けてもオムツ交換時に折り返しカバー３２を前身頃２６側に捲ることができるためオムツ交換時に折り返しカバー３２がオムツ交換の邪魔になることはない。
これにより前身頃下縁部２６Ｃと後身頃下縁部２８Ｃを開けることができるので、乳幼児からオムツを取り外すことができる。
【００２４】
そして、新しいオムツに交換したら前記前身頃下縁部２６Ｃのメススナップボタン３０Ａと後身頃下縁部２８Ｃのオススナップボタン３０Ｂを嵌める。
【００２５】
次に、前身頃２６側に捲っていた折り返しカバー３２を折り返して股部１２Ｄを覆い前記折り返しカバー３２の第１面ファスナー３４を第２面ファスナー３６と係止させることにより、折り返しカバー３２の先端部３２Ｂを後身頃２８に取り付けてオムツ交換作業が終了する。
従って、服本体１２の股部１２Ｄにスナップボタン３０が設けられていないため、オムツ交換時に外したり嵌めたりするスナップボタン３０の数が従来のベビー服に比べて少ないのでスナップボタン３０を外したり嵌めたりする手間と時間を少なくしてオムツ交換をすることができる。
このため、折り返しカバー付きベビー服１０においては、寝返り等をして動き回りじっとしていない乳幼児であってもスムーズにオムツ交換作業を行うことができる。
【００２６】
また、折り返しカバー付きベビー服１０においては服本体１２の股部１２Ｄの全体を折り返しカバー３２が覆うため隙間ができ難く、寒い季節等でも乳幼児に寒い思いをさせることを少なくすることができる。
さらに、折り返しカバー付きベビー服１０においては折り返しカバー３２が服本体１２の股部１２Ｄを覆うためオムツから尿等が漏れたり染み出たりしても折り返しカバー付きベビー服１０から尿等が漏れたり染み出たりしてしまうことを可及的に防止することができる。
【００２７】
また、第１面ファスナー３４の面積を第２面ファスナー３６の面積よりも小さくして係止位置を自由に調節できるようにしたので、折り返しカバー３２を締め付け強さを容易に調節できるため乳幼児の脚さばきを楽にすることができる。
【００２８】
さらに、折り返しカバー３２の先端部３２Ｂに第２面ファスナー３６と係止されないフリーなカバー摘み部３８を形成したのでカバー摘み部３８を容易に摘むことができ、簡単に折り返しカバー３２を後身頃２８から取り外すことができる。
【００２９】
なお、図６に示されるように、前記折り返しカバー３２の先端面３２Ｃと第１面ファスナー３４の間を広くすることによりカバー摘み部３８を大きくして、カバー摘み部３８が垂れ下がるようにしてもよい。
前記カバー摘み部３８が垂れ下がるようにすることにより、指でカバー摘み部３８をより摘み易くすることができる。
【００３０】
図７〜図９には本考案の第２実施例の折り返しカバー付きベビー服が示されている。なお、第１実施例の折り返しカバー付きベビー服１０と同一の構成は同一の符号を用いてその説明を省略する。
【００３１】
図８に示されるように、第２実施例の折り返しカバー付きベビー服４０においては折り返しカバー３２の基端部３２Ａは後身頃２８の下部に縫着され、これにより折り返しカバー３２は後身頃２８に取り付けられている。
【００３２】
図９に示されるように、前記折り返しカバー３２の先端部３２Ｂの内側面には第１面ファスナー３４が取り付けられている。
前記前身頃２６の中間部には前記第１面ファスナー３４と係止可能な第２面ファスナー３６が取り付けられている。
【００３３】
図７に示されるように、第２実施例の折り返しカバー付きベビー服４０においては折り返しカバー３２の後身頃２８から前身頃２６に向かって折り返されて取り付けられる。このため、服本体１２の正面側に折り返しカバー３２の先端部３２Ｂが位置するのでオムツ交換時に乳幼児を仰向けに寝かせた状態で正面に位置する折り返しカバー３２のカバー摘み部３８を引っ張ることができるので折り返しカバー３２が取り外し易く、また、オムツ交換が終わった後に折り返しカバー３２の第１面ファスナー３４を前身頃２６の第２面ファスナー３６に係止し易い。
【００３４】
従って、第２実施例の折り返しカバー付きベビー服４０においては、より迅速にオムツ交換を行うことができる。
なお、他の構成、作用、効果は第１実施例の折り返しカバー付きベビー服１０と同一であるのでその説明は省略する。
【００３５】
なお、実施例では第１連結具としてメススナップボタン３０Ａ、第２連結具としてオススナップボタン３０Ｂとしたが、第１連結具がオススナップボタンで第２連結具がメススナップボタンでもよいことは勿論である。
また、実施例では連結具としてスナップボタン３０を示したが連結具はスナップボタン３０に限定されるものでなく、ボタンやフック等をはじめとする他の連結具でもよいことは勿論である。
【００３６】
なお、実施例では前身頃２６の前身頃他側縁部２６Ｂと後身頃２８の後身頃他側縁部２８Ｂにスナップボタン３０を１１個設け、前身頃２６の前身頃下縁部２６Ｃと後身頃２８の後身頃下縁部２８Ｃにスナップボタン３０を４個設けたが、設けられるスナップボタン３０の数は実施例に限定されるものでないことは勿論である。
【００３７】
また、実施例ではマジックテープ（登録商標）で第１面ファスナー３４と第２面ファスナー３６を形成したが、面ファスナーであればマジックテープ（登録商標）に限定されるものでないことは勿論である。
【００３８】
なお、折り返しカバー３２を２枚重ねた形状の折り返しカバーを形成して服本体１２に取り付けてもよい。折り返しカバー３２を２枚重ねた形状にすることにより、尿漏れや尿が染み出ること等をより確実に防止することができる。
【００３９】
また、実施例で示したオムツ交換の手順は一手順であり、この手順に限定されるものでないことは勿論である。
【００４０】
なお、実施例では服本体１２の他側部１２Ｂに位置する前身頃２６の前身頃他側縁部２６Ｂと後身頃２８の後身頃他側縁部２８Ｂを縫着しないで前記他側部１２Ｂに連結具としてのスナップボタン３０を複数設けた服本体１２を示したが、前記服本体１２の構造はこれに限定されるものでなく、例えば服本体１２の前身頃２６の中央で前身頃２６を左右に二分して前身頃２６を左右に開閉できるようにすると共に前身頃２６の中央部に連結具としてのスナップボタン３０を上下方向に複数設けて二分された前身頃２６を連結できる構成の服本体１２等でもよいことは勿論である。
【００４１】
また、実施例では折り返しカバー付きベビー服１０を乳幼児に着用させた場合を例にして説明したが幼児等に着用させてもよいことは勿論である。
【符号の説明】
【００４２】
１０    折り返しカバー付きベビー服
１２    服本体
１２Ａ  一側部
１２Ｂ  他側部
１２Ｃ  下縁部
１２Ｄ  股部
１４    第１袖
１６    第２袖
２０    第１脚部
２０Ａ  内側部分
２２    第２脚部
２２Ａ  内側部分
２４    首挿通開口部
２６    前身頃
２６Ａ  前身頃一側縁部
２６Ｂ  前身頃他側縁部
２６Ｃ  前身頃下縁部
２６Ｄ  前身頃下縁股部
２８    後身頃
２８Ａ  後身頃一側縁部
２８Ｂ  後身頃他側縁部
２８Ｃ  後身頃下縁部
２８Ｄ  前身頃下縁股部
３０    スナップボタン
３０Ａ  メススナップボタン
３０Ｂ  オススナップボタン
３２    折り返しカバー
３２Ａ  基端部
３２Ｂ  先端部
３２Ｃ  先端面
３４    第１面ファスナー
３６    第２面ファスナー
３８    カバー摘み部
４０    折り返しカバー付きベビー服
【図１】
0003191010.tif 000003
【図２】
0003191010.tif 000004
【図３】
0003191010.tif 000005
【図４】
0003191010.tif 000006
【図５】
0003191010.tif 000007
【図６】
0003191010.tif 000008
【図７】
0003191010.tif 000009
【図８】
0003191010.tif 000010
【図９】
0003191010.tif 000011